(57)【要約】【課題】本発明は、上記従来の携帯用指圧具の欠点に鑑みてなされたもので、加圧時に指先が滑らないために指圧個所に適切な指圧力を及ぼすことができ、また、ノベルティ商品として好適な携帯用指圧具を提供することを課題とする。【解決手段】指先を圧接させる指先よりも大きな面積の上面２と多数の指圧突起４を形成した下面３とを有するベース１を設け、ベース１の一端部に、当該部分を延長してベース１上に折り返して成る折返しカバー７を連設し、折返しカバー７の端部両側に固定翼片８を延設し、各固定翼片８の端部をベース１の側面中間部に係止可能にし、折返しカバー７と固定翼片８とベース１の上面２とによって囲まれる指先挿入部１１に指先を挿入可能にして成る。【選択図】図１
2009045283.tif 000002
【特許請求の範囲】
【請求項１】
指先を圧接させる指先よりも大きな面積の上面と１又は複数の指圧突起を形成した下面とを有するベースを設け、前記ベースの先端部に、当該部分を延長して前記ベース上に折り返し可能に折返しカバーを連設し、前記折返しカバーの端部両側に固定翼片を延設し、前記各固定翼片の端部を前記ベースの側面中間部に係止可能にし、前記折返しカバーと前記固定翼片と前記ベースの上面とによって囲まれる部分に指先を挿入可能にして成る携帯用指圧具。
【請求項２】
前記折返しカバーの折り返し部の外面に、１又は複数の指圧突起を設けた請求項１に記載の携帯用指圧具。
【請求項３】
前記各固定翼片の端部を、前記ベースの側面中間部に脱着可能にした請求項１に記載の携帯用指圧具。
【請求項４】
前記ベースの任意の個所に、携帯電話機用ストラップ、キーホルダー等の吊持手段を設けた請求項１乃至３のいずれかに記載の携帯用指圧具。
【請求項５】
請求項１に記載のベースを連設して多連ベースとなすと共に、前記折返しカバーを一連のものとし、前記折返しカバーの両端部に固定翼片を延設し、それぞれその端部を前記多連ベースの側面中間部に係止可能にし、前記折返しカバーと前記固定翼片と前記多連ベースの上面とで囲まれる部分に複数の指先を挿入可能にして成る携帯用指圧具。
【請求項６】
前記指先挿入部が仕切られている請求項５に記載の携帯用指圧具。
【請求項７】
成形材料中に香料が混入されている請求項１乃至６のいずれかに記載の携帯用指圧具。
【発明の詳細な説明】
【技術分野】
【０００１】
本発明は携帯用指圧具、より詳細には、携帯電話機のストラップやキーホルダー等に取り付けて携帯でき、何時でもどこでも指先に嵌め付けて身体の所望個所を押すことにより、その個所に指圧効果を及ぼすことができる携帯用指圧具に関するものである。
【背景技術】
【０００２】
上記指圧具としては、例えば実開平１−８２０４１号公報に記載のものが提案されている。それは、裏面に多数の指圧突起を設けた指当て台の表面に指締めバンドを渡し、そこに指先を挿入して使用するものである。
【０００３】
上記従来の指圧具の場合、指先による加圧時に、指先は、指当て台に横に渡された指締めバンドのみによって支持されるため、指先の前方方向への動きを抑止することができず、指当て台上において指先が滑動しやすい。そのため、指圧個所に適切な指圧力を与えることができなくなるおそれがある（有効な指圧効果を得るためには、ツボに対して垂直方向に加圧する必要がある。）。
【０００４】
また、指輪型として、その外周面に指圧突起を設けたものも提案されているが（実用新案登録第３１２８６４４号公報、実開平５−９５４８号公報）、それらは身体の指圧個所当接面積が小さく、一点集中となるために使用形態が限られ、また、上記同様、適切な指圧力を与えにくいという面もある。
【０００５】
【特許文献１】実開平１−８２０４１号公報
【特許文献２】実用新案登録第３１２８６４４号公報
【特許文献３】実開平５−９５４８号公報
【発明の開示】
【発明が解決しようとする課題】
【０００６】
本発明は、上記従来の携帯用指圧具の欠点に鑑みてなされたもので、加圧時に指先が滑らないために指圧個所に適切な指圧力を及ぼすことができ、アクセサリーやノベルティ商品等としても好適な携帯用指圧具を提供することを課題とする。
【課題を解決するための手段】
【０００７】
上記課題を解決するための請求項１に記載の発明は、指先を圧接させる指先よりも大きな面積の上面と１又は複数の指圧突起を形成した下面とを有するベースを設け、前記ベースの先端部に、当該部分を延長して前記ベース上に折り返し可能に折返しカバーを連設し、前記折返しカバーの端部両側に固定翼片を延設し、前記各固定翼片の端部を前記ベースの側面中間部に係止可能にし、前記折返しカバーと前記固定翼片と前記ベースの上面とによって囲まれる部分に指先を挿入可能にして成る携帯用指圧具である。
【０００８】
好ましくは、前記折返しカバーの折り返し部の外面に、１又は複数の指圧突起を設け、前記各固定翼片の端部を、前記ベースの側面中間部に脱着可能にし、また、前記ベースの任意の個所に、携帯電話機用ストラップ、キーホルダー等の吊持手段を設ける。
【０００９】
また、上記課題を解決するための請求項５に記載の発明は、請求項１に記載のベースを連設して多連ベースとなすと共に、前記折返しカバーを一連のものとし、前記折返しカバーの両端部に固定翼片を延設し、それぞれその端部を前記多連ベースの側面中間部に係止可能にし、前記折返しカバーと前記固定翼片と前記多連ベースの上面とで囲まれる部分に複数の指先を挿入可能にして成る携帯用指圧具である。
【００１０】
各構成部は一体に樹脂成形することができ、その際成形材料中に香料を混入することもある。
【発明の効果】
【００１１】
本発明は上記のとおりであり、指先挿入部を構成する折返しカバーがベースの先端部を延長して折返したものであるため、その折返し部分が加圧時における指先のストッパーとして作用するので、指先が滑ることなく安定した状態で指圧個所に適切な指圧効果を及ぼすことができる効果がある。
【００１２】
また、携帯電話機やキーホルダー等に取り付けて携行することができ、何時でもどこでも手軽に使用できて気分転換を図ることができ、サンダル形状を呈するために一種のアクセサリー要素をも備え、香料を混入した場合には香りを楽しむことができ、折返しカバー部分に文字や図柄等を印刷して宣伝・広告の具として利用することもできる効果がある。
【発明を実施するための最良の形態】
【００１３】
本発明を実施するための最良の形態について、添付図面に依拠して説明する。先ず、図１乃至図５に示される第１の実施形態について説明する。この第１の実施形態は、１本の指を挿入して使用するタイプのもので、通例、後述する各構成部は、エバール、エラストマー、シリコーン樹脂等により一体成形される。
【００１４】
図中１はベースで、指先を圧接させるための、指先よりも大きな面積の上面２と指圧突起４を突設した下面３とを有する。上面２は、単なる平坦面であってもよいが、指先をなじみ易くするために、曲面状の窪みを設けることもある。また、中間部から後端にかけて、登り傾斜面とすることもある。
【００１５】
下面に突設する指圧突起４は、大きなものを１つ又は２、３設けることもあるが、通例、図示したように、小さなものを多数並設する。指圧突起４は先端を半球状とするが、その半球状部分に複数の段５を形成することもある（図６参照）。その場合は、使用時に滑りにくくなると共に刺激力が増大し、指圧効果が一層向上する。
【００１６】
ベース１の先端部は、薄肉化した折返し部６を介して延長し、折返しカバー７を形成する。折返しカバー７の端部両側は、延長して固定翼片８、８となし、各固定翼片８、８をベース１の側部に固定可能にする。そのためには例えば、ベース１の側部中間部に、先端を肥大化した係止突部９、９を設け、固定翼片８、８の端部に、係止突部９、９を係入するための係止穴１０、１０を設ける。係止穴１０、１０は、係止突部９、９の肥大先端部を強制的に通すことができ、且つ、一端通した後は、係止突部９、９の肥大先端部がその縁に引掛かって、容易には抜けないサイズ・形状のものとする。
【００１７】
上記各部は、シリコーン樹脂等によって一体成形することができる。組立てに際しては、折返しカバー７を折返し部６からベース１上に折返し、固定翼片８、８を係止突部９、９に係止させる。かくして、折返しカバー７とベース１の上面２とにより、指先挿入部１１が形成されることになる。
【００１８】
図示した好ましい実施形態においては、折返しカバー７の折返し部６近傍にも指圧突起４同様の指圧突起１２が、通例１又は２本突設される。また、ベース１の後端面に携帯電話機用ストラップやキーホルダー等の吊持手段１４を取り付けるための吊持部１３を設ける。
【００１９】
この実施形態の場合、本指圧具を、その吊持部１３に吊持手段１４を取り付けることにより、携帯電話機やキーホルダー等に吊持して携帯し、必要時に、例えば指先挿入部１１に親指の指先を挿入し、所望の指圧個所に指圧突起４群を当てがうと共に、他の４本の指を指圧個所の裏側に当てがい、各指に適当な力を入れて当該個所を挟むようにして押圧する。
【００２０】
その際、折返し部７がストッパーとしての役割を果たすために、指先が前方に滑ることがなく、指圧個所に水平方向にずれない適切な指圧力を与えることができる。また、一点集中型ではなく、多数の突起３群で面状に押圧することができるので、強く押しても、一点を過度に押圧して却って傷みを生ずるようなことはない。そして、必要に応じ、指圧突起１２を利用して一点集中的に押圧することもできる。その場合にも、折返しカバー７がストッパーとなるために、十分な押圧力を与えることが可能となる。
【００２１】
次に、図７乃至図１２に示される第２の実施形態について説明する。この実施形態は、指３本、即ち、人差し指、中指及び薬指を挿入して使用するもので、基本的には、上記指先挿入部１１を３連にしたものである。そこにおいて図１乃至図６と同じ参照数字は、上記実施形態と同じ構成を示しているので、詳細な説明は省略する。
【００２２】
この場合のベースはベース１を３つ横に連設した３連ベース２１で、ベース１と同様の上面２と下面３とを有し、下面３には指圧突起４群が形成される。係止突部９、９は、ベース２１の両側面の中間部に突設される。そして、各ベース間に、後述する仕切板２３を差込むための仕切板差込み孔２２、２２が穿設され、また、適宜個所に吊持部１３が形成される。
【００２３】
また、この場合の折返しカバー２４は、３連ベース２１から薄肉の折返し部６を介して延設された３つの延長部を連結したもので、両側に、係止穴１０、１０を形成した固定翼片８、８を延設し、また、中間の仕切板差込み孔２２、２２に対応する位置に、仕切板２３、２３が突設される。
【００２４】
この第２の実施形態の場合は、折返しカバー２４を折返し部６から３連ベース２１上に折返し、係止突部９、９を係止穴１０、１０に嵌め込むことによって固定翼片８、８を係止させる。そして、仕切板２３、２３の先端を仕切板差込み孔２２、２２内に差込んで組立て完了となる。かくして、折返しカバー２４と３連ベース２１の上面との間に、仕切板２３、２３で３つに仕切られた指先挿入部２５ａ、２５ｂ、２５ｃが形成される。指先挿入部２５ａ、２５ｂ、２５ｃは、それぞれ人差し指用、中指用、薬指用である。
【００２５】
この第２の実施形態の場合の使用方法は、３本の指先を挿入して使用すること以外は上記第１の実施形態の場合と基本的に変わらず、作用効果もそれに準ずる。
【００２６】
第２の実施形態は、実質的に第１の実施形態を３連にしたものであるが、この第２の実施形態に準じてこれを２連にし、あるいは、４連にすることもでき、いずれの場合も各構成部は一体成形可能である。また、いずれの実施形態の場合にも、成形材料に香料を混入することで、芳香性のあるものとすることができる。更に、折返しカバー７、２４の組立て時に表面となる側に、適宜図柄、文字等を印刷することによりデザイン性を向上させることができ、ノベルティ商品として利用することも可能となる。
【００２７】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２８】
【図１】本発明の第１の実施形態の側面図である。
【図２】本発明の第１の実施形態の組立て前の側面図である。
【図３】本発明の第１の実施形態の組立て前の平面図である。
【図４】本発明の第１の実施形態の組立て前の底面図である。
【図５】本発明の第１の実施形態の使用状態図である。
【図６】本発明における指圧突起の構成例を示す図である。
【図７】本発明の第２の実施形態の側面図である。
【図８】本発明の第２の実施形態の正面図である。
【図９】本発明の第２の実施形態の背面図である。
【図１０】本発明の第２の実施形態の組立て前の側面図である。
【図１１】本発明の第２の実施形態の組立て前の底面図である。
【図１２】本発明の第２の実施形態の使用状態図である。
【符号の説明】
【００２９】
１        ベース
２        上面
３        下面
４        指圧突起
５        段
６        折返し部
７        折返しカバー
８、８    固定翼片
９、９    係止突部
１０、１０  係止穴
１１        指先挿入部
１２        指圧突起
１３        吊持部
１４        吊持手段
２１        ３連ベース
２２        仕切板差込み孔
２３、２３  仕切板
２４        折返しカバー
２５ａ〜ｃ  指先挿入部
【図１】
2009045283.tif 000003
【図２】
2009045283.tif 000004
【図３】
2009045283.tif 000005
【図４】
2009045283.tif 000006
【図５】
2009045283.tif 000007
【図６】
2009045283.tif 000008
【図７】
2009045283.tif 000009
【図８】
2009045283.tif 000010
【図９】
2009045283.tif 000011
【図１０】
2009045283.tif 000012
【図１１】
2009045283.tif 000013
【図１２】
2009045283.tif 000014